(57)【要約】【課題】デジタル放送受信機において、ユーザに、表示の設定内容を選択させる際に十分な情報を提供することができるようにすること。【解決手段】放送受信装置において、アンテナを介して受信した映像の表示におけるアスペクト比の変更を指示する情報が入力されると、その時点で受信している映像の中の１コマ（元画像データ）に対して、第１〜第３のアスペクト比を有する画像が生成され、このように生成された３つの画像が、モニタの表示領域４１０内に、画面４１２〜４１４として、アスペクト比とともに、一覧表示される。【選択図】図４
2009177710.tif 000002
【特許請求の範囲】
【請求項１】
情報の入力を受け付ける入力部と、
デジタル放送信号を受信する受信部と、
前記受信部が受信したデジタル放送信号に基づく特定の映像について複数の映像であって互いに異なる縦横比を有する映像を生成する映像加工部と、
前記映像加工部が生成した前記複数の映像を、表示装置に、同じ画面に表示させる制御部とを備え、
前記制御部は、
前記入力部に前記表示装置に表示させる映像の縦横比を変更する旨の情報が入力された場合に、前記表示装置に前記複数の映像を表示させ、
前記入力部に前記表示装置に表示させた前記複数の映像の中の一の映像を選択する情報が入力された場合に、前記映像加工部に、前記受信部が受信したデジタル放送信号に基づく映像を前記複数の映像の中の一の映像が有する縦横比で生成して、前記表示装置に表示させ、
前記複数の映像とともに前記複数の映像のそれぞれの縦横比を前記表示装置に表示させ、
前記映像加工部は、前記入力部に前記表示装置に表示させる映像の縦横比を変更する旨の情報が入力されたことに応じて、前記複数の映像を生成する、デジタル放送受信機。
【請求項２】
情報の入力を受け付ける入力部と、
デジタル放送信号を受信する受信部と、
前記受信部が受信したデジタル放送信号に基づく特定の映像について複数の映像であって互いに異なる縦横比を有する映像を生成する映像加工部と、
前記映像加工部が生成した前記複数の映像を、表示装置に、同じ画面に表示させる制御部とを備え、
前記制御部は、前記入力部に前記表示装置に表示させた前記複数の映像の中の一の映像を選択する情報が入力された場合に、前記映像加工部に、前記受信部が受信したデジタル放送信号に基づく映像を前記複数の映像の中の一の映像が有する縦横比で生成して、前記表示装置に表示させる、デジタル放送受信機。
【請求項３】
前記制御部は、前記入力部に前記表示装置に表示させる映像の縦横比を変更する旨の情報が入力された場合に、前記表示装置に前記複数の映像を表示させる、請求項２に記載のデジタル放送受信機。
【請求項４】
前記映像加工部は、前記入力部に前記表示装置に表示させる映像の縦横比を変更する旨の情報が入力されたことに応じて、前記複数の映像を生成する、請求項３に記載のデジタル放送受信機。
【請求項５】
前記映像加工部が生成した前記複数の映像を記憶する記憶部をさらに備え、
前記制御部は、前記入力部に前記表示装置に表示させる映像の縦横比を変更する旨の情報が入力されたことに応じて、前記記憶部に記憶させた前記複数の映像を前記表示装置に表示させる、請求項３に記載のデジタル放送受信機。
【請求項６】
前記制御部は、前記複数の映像とともに前記複数の映像のそれぞれの縦横比を前記表示装置に表示させる、請求項２〜請求項５のいずれかに記載のデジタル放送受信機。
【請求項７】
デジタル放送信号に基づく映像を表示装置に表示させるデジタル放送受信機の制御プログラムであって、
デジタル放送受信機に、
前記受信したデジタル放送信号に基づく特定の映像について複数の映像であって互いに異なる縦横比を有する映像を生成するステップと、
生成した前記複数の映像を、表示装置において、同じ画面に表示させるステップと、
前記表示装置に表示させた前記複数の映像の中の一の映像を選択する情報の入力を受け付けるステップと、
受信したデジタル放送信号に基づく映像について、前記選択する情報を入力された一の映像が有する縦横比で生成して、前記表示装置に表示させる、デジタル放送受信機の制御プログラム。
【発明の詳細な説明】
【技術分野】
【０００１】
本発明は、デジタル放送受信機に関し、特に、デジタル放送の映像の表示のアスペクト比の調整に関するデジタル放送受信機およびその制御プログラムに関する。
【背景技術】
【０００２】
従来から、デジタルデータに基づく映像（画像）の表示に関し、種々の技術が開示されている。
【０００３】
たとえば、特許文献１（特開２００３−２８３９３７号公報）には、異なる複数種の放送方式で放送された番組を受信するデジタルテレビ放送受信装置において、複数の番組をを、放送方式を示す情報と対応させて一覧表示する技術が開示されている。
【０００４】
また、特許文献２（特開２００２−０８４４７４号公報）には、デジタルテレビジョン放送の受信ストリームに含まれている放送用フォーマット情報に応じて復号出力モードを設定し、当該受信ストリームを復号し出力するデジタルテレビジョン受信機において、放送用フォーマット情報の種別に応じて任意の解像度で映像信号を視聴できるようにするために、視聴者が予め備えられている複数の復号出力モードから任意の復号出力モードを選択できるように構成されている技術が開示されている。
【０００５】
また、特許文献３（特開２００５−１０９９２７号公報）には、電子カメラ装置において、撮像画像のアスペクト比が４対３以外となる撮像素子による画像データを、パディング部分がなく見栄えの良い表示を行なうために、予め定められた画素数に縮小したサムネイル画像を、第２のアスペクト比変換を行なってテレビジョンも似たに表示されるようにする技術が開示されている。
【０００６】
このような、表示される映像（画像）のアスペクト比に関する技術としては、他にも、特許文献４（特開２００５−１９１７６４号公報）には、第１の縮小画像を第１のアスペクト比を維持するように縮小し、かつ、第２の縮小画像の横の大きさが第１の縮小画像の横の大きさと同じになるように第２の画像を縮小する技術、また、アスペクト比１６対９の画像の横方向が収まるように縦横均等に縮小し、縦方向の余剰部分に帯状の画像信号を付加することでアスペクト比４対３の縮小画像信号を生成する技術が開示されている。
【特許文献１】特開２００３−２８３９３７号公報
【特許文献２】特開２００２−０８４４７４号公報
【特許文献３】特開２００５−１０９９２７号公報
【特許文献４】特開２００５−１９１７６４号公報
【発明の開示】
【発明が解決しようとする課題】
【０００７】
上記したように、従来では、デジタル画像データの表示に関し、当該データに対する処理内容については、種々の提案がなされている。
【０００８】
しかしながら、ユーザにアスペクト比等の表示の設定内容を選択させる際、ユーザへの、設定内容を決定させるために提供される情報の内容に関しては、検討を必要とされていた。たとえば、ユーザは、画像データを表示させるアスペクト比を設定する際、アスペクト比が異なれば、表示される画像がどのように異なるのかについての情報を必要としていたが、このような情報の提供については、従来、十分な検討がなされていなかったと考えられる。
【０００９】
したがって、デジタル画像データを扱う従来のデジタル放送受信機においても、このような点で検討を必要とされていた。
【００１０】
本発明は、かかる実情に鑑み考え出されたものであり、その目的は、ユーザに、表示の設定内容を選択させる際に十分な情報を提供することができるデジタル放送受信機およびその制御プログラムを提供することである。
【課題を解決するための手段】
【００１１】
本発明のある局面に従ったデジタル放送受信機は、情報の入力を受け付ける入力部と、デジタル放送信号を受信する受信部と、前記受信部が受信したデジタル放送信号に基づく特定の映像について複数の映像であって互いに異なる縦横比を有する映像を生成する映像加工部と、前記映像加工部が生成した前記複数の映像を、表示装置に、同じ画面に表示させる制御部とを備え、前記制御部は、前記入力部に前記表示装置に表示させる映像の縦横比を変更する旨の情報が入力された場合に、前記表示装置に前記複数の映像を表示させ、前記入力部に前記表示装置に表示させた前記複数の映像の中の一の映像を選択する情報が入力された場合に、前記映像加工部に、前記受信部が受信したデジタル放送信号に基づく映像を前記複数の映像の中の一の映像が有する縦横比で生成して、前記表示装置に表示させ、前記複数の映像とともに前記複数の映像のそれぞれの縦横比を前記表示装置に表示させ、前記映像加工部は、前記入力部に前記表示装置に表示させる映像の縦横比を変更する旨の情報が入力されたことに応じて、前記複数の映像を生成することを特徴とする。
【００１２】
本発明の他の局面に従ったデジタル放送受信機は、情報の入力を受け付ける入力部と、デジタル放送信号を受信する受信部と、前記受信部が受信したデジタル放送信号に基づく特定の映像について複数の映像であって互いに異なる縦横比を有する映像を生成する映像加工部と、前記映像加工部が生成した前記複数の映像を、表示装置に、同じ画面に表示させる制御部とを備え、前記制御部は、前記入力部に前記表示装置に表示させた前記複数の映像の中の一の映像を選択する情報が入力された場合に、前記映像加工部に、前記受信部が受信したデジタル放送信号に基づく映像を前記複数の映像の中の一の映像が有する縦横比で生成して、前記表示装置に表示させることを特徴とする。
【００１３】
また、本発明のデジタル放送受信機では、前記制御部は、前記入力部に前記表示装置に表示させる映像の縦横比を変更する旨の情報が入力された場合に、前記表示装置に前記複数の映像を表示させることが好ましい。
【００１４】
また、本発明のデジタル放送受信機では、前記映像加工部は、前記入力部に前記表示装置に表示させる映像の縦横比を変更する旨の情報が入力されたことに応じて、前記複数の映像を生成することが好ましい。
【００１５】
また、本発明のデジタル放送受信機では、前記映像加工部が生成した前記複数の映像を記憶する記憶部をさらに備え、前記制御部は、前記入力部に前記表示装置に表示させる映像の縦横比を変更する旨の情報が入力されたことに応じて、前記記憶部に記憶させた前記複数の映像を前記表示装置に表示させることが好ましい。
【００１６】
また、本発明のデジタル放送受信機では、前記制御部は、前記複数の映像とともに前記複数の映像のそれぞれの縦横比を前記表示装置に表示させることが好ましい。
【００１７】
本発明に従ったデジタル放送受信機の制御プログラムは、デジタル放送信号に基づく映像を表示装置に表示させるデジタル放送受信機の制御プログラムであって、デジタル放送受信機に、前記受信したデジタル放送信号に基づく特定の映像について複数の映像であって互いに異なる縦横比を有する映像を生成するステップと、生成した前記複数の映像を、表示装置において、同じ画面に表示させるステップと、前記表示装置に表示させた前記複数の映像の中の一の映像を選択する情報の入力を受け付けるステップと、受信したデジタル放送信号に基づく映像について、前記選択する情報を入力された一の映像が有する縦横比で生成して、前記表示装置に表示させることを特徴とする。
【発明の効果】
【００１８】
本発明によれば、デジタル放送受信機において、ある映像（特定の映像）に基づいて、互いに異なる縦横比を有する複数の映像が生成され、それらが、表示装置において同じ画面に表示される。
【００１９】
これにより、ユーザは、上記画面を見ることにより、映像が処理される縦横比の差異を、処理される縦横比が異なる映像同士を比較することにより、容易に設定内容を選択できるようになる。
【発明を実施するための最良の形態】
【００２０】
以下、図面を参照しつつ、本発明のデジタル放送受信機の一実施の形態である放送受信装置について説明する。以下の説明では、同一の部品には同一の符号を付してある。それらの名称および機能も同じである。したがって、それらについての詳細な説明は繰り返さない。
【００２１】
図１を参照して、本発明の一実施の形態である放送受信装置１は、アンテナ３０から放送信号を受信し、リモコン４２から指令信号を受信し、モニタ４０に映像信号および音声信号を出力する。モニタ４０は、放送受信装置１と一体的に構成されていても良いし、または、別体で構成されていても良い。
【００２２】
アンテナ３０は、放送局から電波で送信されてくる放送信号を受信し、放送受信装置１に供給する。
【００２３】
リモコン４２は、ユーザからの操作を受付けて、ユーザによる操作に応じた操作信号を赤外線で放送受像装置１に送信する。なお、リモコン４２から出力される操作信号は、赤外線に限定されず、無線であってもよい。また、リモコン４２およびリモコン送受信部２６に替えて、または、リモコン４２およびリモコン送受信部２６とともに、放送受信装置１の本体に、ユーザからの操作を受付けて、操作信号を制御部１０に出力する操作受付部を設けるようにしてもよい。
【００２４】
放送受信装置１は、制御部１０と、記憶部１１と、チューナ１６と、復調部１８と、デコーダ２２と、リモコン送受信部２６とを含む。
【００２５】
制御部１０は、プログラムを実行するＣＰＵ（Central Processing Unit）１０Ａと、実行されるプログラム、プログラム実行中のデータ、および、プログラム実行結果のデータを記憶するメモリ１０Ｂとを含む。
【００２６】
記憶部１１は、制御部１０が実行するプログラムや、後述する辞書データ等の種々のデータやプログラムを記憶する。
【００２７】
なお、制御部１０が実行するプログラムは、メモリ１０Ｂや記憶部１１のように、放送受信装置１の本体に固定されている記憶装置に記憶されていても良いし、放送受信装置１の本体に対して着脱可能な記録媒体に記録されていても良い。また、当該プログラムは、ネットワークを介して、メモリ１０Ｂや記憶部１１にインストールされても良い。また、制御部１０は、ネットワークを介して接続された装置等、放送受信装置１とは別の装置の記録装置に記録されたプログラムを実行することにより、本実施の形態において示されるような機能を実現させても良い。
【００２８】
チューナ１６は、受信した放送信号の中から、制御部１０からの指令に応じて選択されたチャネルに対応する放送信号を抽出する。そして、チューナ１６は、抽出した放送信号を復調部１８へ出力する。
【００２９】
復調部１８は、チューナ１６から放送信号を受けて、放送信号を映像および音声がデジタル符号化されたＭＰＥＧ−２ＴＳ（Moving Picture Experts Group phase 2 TransportStream）信号に復調し、ＭＰＥＧ−２ＴＳ信号をデコーダ２２へ出力する。
【００３０】
ここで、デジタルテレビ放送信号は、リード・ソロモン符号および畳み込み符号で符号化されて送信される。そのため、復調部１８は、上述の復号処理において誤り訂正ができる。この誤り訂正の処理過程において、復調部１８は、受信した放送信号の受信データ誤り率を演算し、その受信データ誤り率を制御部１０へ出力する。
【００３１】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。放送受信装置１は、いずれの方式にも対応することができる。
【００３２】
デコーダ２２は、復調部１８から受けたＭＰＥＧ−２ＴＳ信号を映像信号および音声信号に復号する。そして、デコーダ２２は、復号された映像信号および音声信号をモニタ４０へ出力する。
【００３３】
リモコン送受信部２６は、リモコン４２からの操作信号を受信して、受信した操作信号を制御部１０へ出力する。また、リモコン受信部２６は、制御部１０から受けた所定の情報をリモコン４２に送信する。
【００３４】
制御部１０は、リモコン送受信部２６から受信した操作信号に応じて、チューナ１６、復調部１８、および、デコーダ２２を制御する。
【００３５】
モニタ４０は、デコーダ２２からの映像信号および音声信号をそれぞれ映像および音声に変換して、変換された映像および音声をユーザが視聴可能なように出力する。
【００３６】
なお、上記したように、放送受信装置１では、アンテナ３０を介して受信した放送の映像は、チューナ１６、復調部１８、デコーダ２２、および映像処理部２４を介して、モニタ４０へ送られ、そこで表示される。映像処理部２４は、専用のハードウェアによって構成されても良いし、また、制御部１０が所定のプログラムを実行することにより映像データに処理を施す場合のように、ソフトウェアによって構成されても良い。
【００３７】
放送受信装置１では、モニタ４０に表示させる映像のアスペクト比の設定を変更することができる。図２に、ＣＰＵ１０Ａが、リモコン４２から送信される情報に従って、アスペクト比の設定の変更を行なう際に実行する処理（アスペクト比設定処理）のフローチャートである図２を参照して、説明する。
【００３８】
図２を参照して、アスペクト比設定処理では、ＣＰＵ１０Ａは、まずステップＳ１０で、リモコン４２から映像の表示に関しアスペクト比の変更を指示する情報が送信されてきたか否かを判断し、そのような情報が送信されてきたと判断すると、ステップＳ２０へ処理を進める。
【００３９】
ステップＳ２０では、ＣＰＵ１０Ａは、その時点でデコーダ２２においてデコードされた映像（画像の１コマ）を取得して、ステップＳ３０へ処理を進める。
【００４０】
ステップＳ３０では、ＣＰＵ１０Ａは、ステップＳ２０で取得した元画像データのアスペクト比を、予め定められた第１のアスペクト比となるように、映像処理部２４に処理をさせて、ステップＳ４０へ処理を進める。
【００４１】
ステップＳ４０では、ＣＰＵ１０Ａは、ステップＳ２０で取得した元画像データを映像処理部２４で処理することにより予め定められた第２のアスペクト比の画像データを生成して、ステップＳ５０へ処理を進める。
【００４２】
ステップＳ５０では、ＣＰＵ１０Ａは、ステップＳ２０で取得した元画像データを映像処理部２４で処理することにより予め定められた第３のアスペクト比の画像を生成して、ステップＳ６０へ処理を進める。
【００４３】
以上説明したステップＳ３０〜ステップＳ５０により、ステップＳ２０で取得された画像データについて、３種類のアスペクト比を有する３つの画像が生成されることになる。
【００４４】
ステップＳ６０では、ＣＰＵ１０Ａは、ステップＳ３０〜ステップＳ５０で生成した、３種類の画像を、それぞれ縮小させて、モニタ４０の画面に一覧表示させて、ステップＳ７０へ処理を進める。
【００４５】
ステップＳ７０では、ＣＰＵ１０Ａは、リモコン４２から、ステップＳ６０で一覧表示させた３種類のアスペクト比の画像の中から１の画像を選択する情報を受付け、ステップＳ８０へ処理を進める。
【００４６】
ステップＳ８０では、ステップＳ７０で受付けた情報で選択されたアスペクト比が第１〜第３のアスペクト比のいずれかであるかを判断する。そして、ＣＰＵ１０Ａは、第１のアスペクト比が選択されたと判断するとステップＳ９０へ処理を進め、第２のアスペクト比が選択されたと判断するとステップＳ１００へ処理を進め、そして、第３のアスペクト比が選択されたと判断するとステップＳ１１０へ処理を進める。
【００４７】
ステップＳ９０では、映像処理部２４における受信した映像のアスペクト比を上記した第１のアスペクト比として設定して、アスペクト比設定処理を終了させる。
【００４８】
また、ステップＳ１００では、ＣＰＵ１０Ａは、アンテナ３０を介して受信した映像の、映像処理部２４におけるアスペクト比の設定を、上記した第２のアスペクト比として、アスペクト比設定処理を終了させる。
【００４９】
以上説明した本実施の形態では、放送受信装置１において、アンテナ３０を介して受信した映像の表示におけるアスペクト比の変更を指示する情報が入力されると（ステップＳ１０）、その時点で受信している映像の中の１コマ（元画像データ）に対して、第１〜第３のアスペクト比を有する画像が生成され（ステップＳ３０〜ステップＳ５０）、このように生成された３つの画像がモニタ４０に一覧表示される（ステップＳ６０）。ここでのモニタ４０における表示内容の変化について、図３〜図５を参照して説明する。
【００５０】
図３は、モニタ４０の表示部４００の表示内容を模式的に示す図である。ステップＳ６０において第１〜第３のアスペクト比の画像が一覧表示されるまでは、モニタ４００の表示領域４１０の左右方向の中央には、元画像データがその時点で設定されているアスペクト比で表示されている状態が示されている。
【００５１】
図４は、ステップＳ６０における第１〜第３のアスペクト比の画像を一覧表示する状態を模式的に示す。
【００５２】
図４を参照して、表示領域４１０には、画面４１２〜４１４が表示されている。画面４１２は、図３の画面４１１に表示されているのと同様に、そのアスペクト比が４対３とされている。また、画面４１３では、対応する画像が１４対９のアスペクト比である。また、画面４１４は、元画像データを全画面表示用にアスペクト比を調整することにより表示される画面の縮小されたものが示されている。
【００５３】
ユーザは、リモコン４２を適宜操作することにより、画面４１２と画面４１３と画面４１４の中のいずれかの画面を選択することができる。画面４１２〜４１４の中で選択された状態にある画面には、その外枠が破線で示されている。図５は、図４に示したような画面に対して、画面４１４（全画面表示）が選択された後の、モニタ４００における表示態様を模式的に示す図である。
【００５４】
図５において示されるように、モニタ４０の表示部４００では、表示領域４１０いっぱいに、アンテナ３０を介してそれ以降表示領域４１０の全域に亘って、表示されている。この場合のアスペクト比は、表示領域４１０のアスペクト比と同様となる。
【００５５】
以上説明した本実施の形態では、アスペクト比設定処理（図２参照）では、受信した映像の表示においてアスペクト比を変更する指示の情報が入力されると、アスペクト比設定処理が実行されるように構成されている。なお、アスペクト比設定処理のステップＳ２０以降の処理の実行は、このような指示の情報が入力されたことだけでなく、たとえば、電源投入時や受信するチャンネルを変更したときなどを起因として実行されてもよい。
【００５６】
また、アスペクト比設定処理では、図４に示されるように、ユーザに、受信した映像をモニタ４０で表示させるときのアスペクト比を選択させる場合に、放送受信装置１において、その時点で得られた選択が可能な３種類のアスペクト比を有する３種類の画像を生成し、それらの縮小画像を、画面４１２〜４１４として表示領域４１０に一覧表示させている。これにより、画面のアスペクト比の差を、ユーザは一目で理解することができる。
【００５７】
また、アスペクト比設定処理では、ステップＳ１０でアスペクト比の変更を指示する情報を受信したことに応じて、ステップＳ２０〜ステップＳ６０により、図４に示したような表示内容を構成するような情報が生成される。具体的には、このような指示の後に、元画像データが取得され（ステップＳ２０）、そして、３種類のアスペクト比を有する画像が生成され（ステップＳ３０〜ステップＳ５０）、そして、これらの３つの画像の縮小版を利用して図４の表示領域４１０では、図４に示したような情報が表示される。なお、図４の表示領域４１０内で表示されているような情報（画面データ）は、上記した指示が受信された後に生成されてもよいし、そのような指示を受信する前に、予め作成され、記憶部１１に記憶されていてもよい。なお、本実施の形態のように、上記した指示を受信したことに応じて、元画像データが取得され、図４に示される画面４１２〜４１４のそれぞれには上記の元画像データに対応する画像が表示されている。これにより、上記したように一覧表示用の画面が予め作成されている場合よりも、一覧表示の対象となる画像が、ユーザが操作を行なった時点で放送受信装置１において受信された画像とされるため、表示部４００の表示領域４１０において表示内容が急激に変化するなどによりユーザが違和感を感じるという事態を回避することができる。
【００５８】
また、以上説明したアスペクト比設定処理では、異なるアスペクト比の画像が縮小されて一覧表示される際に、図４の画面４１２〜４１４を通して示したように、各画面のアスペクト比を直接的に示す情報（「４：３」「１４：９」「全画面」）が表示される。これにより、表示された各アスペクト比の画像について、より詳細に情報を得ることができる。
【００５９】
また、以上説明したアスペクト比設定処理では、図４等に示されるように、表示領域４１０に一覧表示される、互いに異なるアスペクト比で縮小された映像の種類は３種類とされたが、本発明においてこのような種類の数はもちろんこれに限定されない。
【００６０】
本実施の形態では、デジタル放送受信機の一例である放送受信装置１は、アンテナ３０で電波を受信することにより、番組の映像信号を受信したが、本発明のデジタル放送受信機による番組の受信態様はこれに限定されない。つまり、たとえば、放送受信装置１は、インターネット等のネットワーク網を介してデータの送受信を行なう構成部分をさらに備え、当該部分を用い、上記したネットワーク網を介して、番組の映像信号の元となるデータを受信してもよい。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６２】
【図１】本発明のデジタル放送受信機の一実施の形態である放送受信装置の構成を模式的に示す図である。
【図２】図１のＣＰＵが実行するアスペクト比設定処理のフローチャートである。
【図３】図１のモニタの表示例を示す図である。
【図４】図１のモニタの他の表示例を示す図である。
【図５】図１のモニタのさらに他の表示例を示す図である。
【符号の説明】
【００６３】
１  放送受信装置、１０  制御部、１０Ａ  ＣＰＵ、１０Ｂ  メモリ、１１  記憶部、１６  チューナ、１８  復調部、２２  デコーダ、２４  映像処理部、２６  リモコン送受信部、３０  アンテナ、４０  モニタ、４２  リモコン、４００  表示部、４１０  表示領域、４１１〜４１５  画面。
【図１】
2009177710.tif 000003
【図２】
2009177710.tif 000004
【図３】
2009177710.tif 000005
【図４】
2009177710.tif 000006
【図５】
2009177710.tif 000007